(57)【要約】【課題】  帯電体除電中ＩＣ等の誤動作や電気的絶縁破壊等の原因である、電磁波発生。  除電後逆帯電発生。  放電電極の出口に触れて、電撃や電気的事故等の防止を得る。【解決手段】  交流高電圧電源放射時に電磁波発生防止で、放電電極の出口に接地した金網を設置。  変圧器より電磁波発生防止のため、変圧器を接地した鉄ケース内に入れる。  逆帯電発生防止で、交流電気力線放射帯電除電器にした。【選択図】  図１
2005183350.tif 000002
【特許請求の範囲】
【請求項１】
放電極１個以上を各単独、又は直並列結線等を施した１組以上の放電電極に交流式高電圧電源を荷電し、空気中又は真空中の静電気帯電体の逆帯電発生無く除電する交流式電気力線放射帯電除電器。
【請求項２】
交流式高電圧電源の放電電極の出口又は出口側へ放電時に電磁波の発生防止に最適な網目の形状や大きさ等の金網を接地し、これを張り付けた請求項１記載の交流式電気力線放射帯電除電器。
【請求項３】
被除電物体の材質、形状、移動速度、被除電物体と放電電極の出口との間隔等による除電効果向上のための交流式高電圧電源の出力電圧、周波数等を選択する請求項１記載の交流式電気力線放射帯電除電器。
【発明の詳細な説明】
【発明の詳細な説明】
【技術分野】
【０００１】  本発明は、交流式電気力線放射帯電除電器における、除電後逆帯電発生並びに放電中に電磁波発生によるＩＣ等の誤動作、電気的破損等を防止装置並びに該装置に用いる金網等及びその製造方法に関する。
【背景技術】
【０００２】  従来の静電気帯電体より既に放射している、静電力線を、直流高電圧が放電電極を介し空気中に放電した直流電気力線で消滅し除電する除電器である。  （例えば特願２００２−３０２３５８号公報参照）。
【発明が解決しようとする課題】
【０００３】  上記（特願２００２−３０２３５８公報）の図２の符号５により、帯電体は（−）極帯電を示してある。  使用した電気力線は図３の符号３により（＋）極電気力線である。  （−）極帯電体に（＋）極電気力線を放射すると、（−）極帯電体はどんどん零帯電に近づき、零帯電となるが、尚時間と共に（＋）極帯電に変化するので、これが逆帯電発生である。  丁度零帯電時点で除電作業を中止すれば完全な除電が出来るが、この操作は不可能である等の問題点があった。
【０００４】  本発明は帯電体の除電中に逆帯電発生無く完全に除電する。  交流式高電圧放電時に電磁発生を防止し、除電中のＩＣ等に電磁波が誘導して誤動作や電気的絶縁破壊等の事故が発生せず。  放電電極の出口に手等が接触や接近しても電撃無く、導電性物体が接触しても放電による事故発生が無い除電器の製造方法を提供することを目的としている。
【課題を解決するための手段】
【０００５】上記目的を達成するために、本発明の交流式電気力線放射帯電除電器においては常時（＋）（−）極性の質量が等量で時間と共に交互に変換した交流式電気力線、又は空気中除電の時は同交流式電気力線に接触や接近している空気が交流式電気力線と同一に（＋）（−）極性が時間と共に交互に変換されたイオンが発生し、これが帯電体に作用して逆帯電発生無く除電効果良好である。  放電電極の出口又は出口側に網目の大きさ、形状等が電磁波を吸収しやすくした金網を接地し、これを取り付ける。  この接地した金網に手が触れても電撃無く、又導電性物体が接しても電気的事故が無いので安全である。
【０００６】  交流式電気力線を空気中に放射したときの実験により交流式電気力線は空気等による過渡現象等で阻害されて、除電効果が悪い。  改善のため交流式電気力線の（＋）（−）極性の交互変換に接触や接近している空気を同等に誘導発生した（＋）（−）極性のイオン化し、これを風圧で目的帯電体に吹き付ける方式にし成功したので、空気中に於いては放電電極に送風機を併用し上記イオンを吹き付けて除電する。
【０００７】  電磁波発生防止について
Ａ  放電電極の出口および出口側に接地した金網をつけたときによる利点について。
１．接地した金網の有無に対し除電効果の良否がほとんど認められない。
２．接地した金網が放電時に発生する電磁波を吸収し除去するので、これに対する障災害の発生がなくＩＣ等の誤動作発生防止に役立った。
３．人体の１部が接地した金網に接したとき電撃が全然発生しない。
４．放電電極内部にものの進入を防止し、これによる事故発生がない。
Ｂ  変圧器より発生する電磁波発生防止のため、変圧器全体を鉄ケース内に入れた鉄ケースを接地する。
【発明実施の形態】
【０００８】  発明実施の形態を実施例にもとづき図面を参照して説明する。
図１において絶縁ケース１内に一次コイル２と二次コイル３のある変圧器４の一次コイル２に外部より交流電源５を入れて、二次コイル３に交流高電圧を発生さす。
【０００９】  交流高電圧発生する二次コイル３の１極を放電電極６に荷電する。  他極は接地１７に接続する。  放電電極の出口８の位置の絶縁ケース１は開口である。
この外部に金網９を設置し、これを接地１７する。
【００１０】  金網９面より１ｍ前後先に目的帯電体１０を置く、この目的帯電体１０は空間の静電容量１１を通り接地１７されている。
【００１１】  交流式電気力線１２は放電電極６の放電極７と金網９と空気中または真空中にある目的帯電体１０に到達し目的帯電体１０を除電する。
【００１２】  空気中の除電に於いて、送風機Ａ１３は交流式電気力線１２の（＋）（−）極性の質量が等量で交互に変換すると同一の作用で空気を（＋）（−）極性のバランスしたイオン化１４したものを目的帯電体１０に吹き付け逆帯電発生なく帯電体の帯電を除去する交流式電気力線放射帯電除電器
【００１３】  空気中除電時に於いて、送風機Ｂ１５は交流式電気力線１２をより遠くまで強力に吹き飛ばすことを援助するための送風機で、必要に応じて使用する。
【００１４】  交流電源６の（＋）（−）極性の質量がほぼ等量で１秒間５０回または６０回交互に変換するＡＣ１００Ｖの市販電力会社より送電の交流電源５又は上記以外の周波数の時は同等に安定した交流発電装置を使用する等を、変圧器４を介し高電圧にして、そのまま放電電極６より放射した交流式電気力線１２で、非常に安定している。
【００１５】  高電圧電源の変圧器４は変圧器自体より電磁波の発生があり、これを防止するために変圧器全体を鉄ケース１６内に入れて、この鉄ケース１６を接地１７する。
【００１６】  真空中の除電作業に於いては交流式電気力線放射を阻害する空気等が無いので前記
【００１２】と
【００１３】は不用である。
【発明の効果】
【００１７】  本発明は、以上説明したように構成されているので、以下に記載されるような効果を奏する。
【００１８】  真空中の除電に於いて。  交流式電気力線の（＋）極電気力線と（−）極電気力線とが等量の質量が時間と共に交互変換しながら帯電体に放射された、交流式電気力線が帯電体内で（＋）（−）電気力線がバランスするので逆帯電発生無く除電効果良好である。
【００１９】  空気中の除電に於いては、交流式電気力線は空気等に過渡現象で阻害されて放射が最悪となるので、交流式電気力線の（＋）（−）極性を空気に誘導し空気を（＋）（−）の等量の質量を交互に発生したイオンを風圧で目的帯電体に吹き付けて、帯電体内で（＋）（−）イオンをバランスして除電するので逆帯電発生無く除電効果良好である。
【００２０】  空気中に於いて放電電極と目的帯電体との間に他の帯電体が有っても交流式電気力線の（＋）（−）質量が等量で時間と共に交互に変換していることは不変である、他の帯電体のある位置では他の帯電体の極性と反対の極性のイオンの一部は吸収されるが、交流式電気力線の極性を時間と共に交互に変換していることに対して全然変化することが無い。  他の帯電体位置通過後は即座に元の（＋）（−）極性イオンになり、これを風圧で目的帯電体に吹き付けるので逆帯電発生無く除電効果良好である。
【００２１】  放電電極の出口又は出口側に電磁波発生を吸収しやすい網目の金網を接地し取り付けてあるので電磁波によるＩＣ等の誤動作や内部電気回路の絶縁破壊等の防止効果良好である。
【００２２】  放電電極の出口又は出口側に接地した金網が設置されているので、これに手が触れても電撃発生防止、導電性物体が接しても電気的事故発生防止等効果良好である。
【００２３】  使用する交流電源は市販電力会社よりの送電であり（＋）（−）極性の質量がほぼ等量で時間と共に交互に変換する、周波数も非常に安定した交流電源又は同等に安定した交流発電装置等を使用し、これを交流式高電圧に変圧器を介し発生させた交流式高電圧を放電電極より交流式電気力線として放射し除電するので何日でも安定した逆帯電発生無い除電が出来る特徴の交流式電気力線放射帯電除電器を容易に製造することが出来る。
【図面の簡単な説明】
【図１】  交流式電気力線放射帯電除電器の構成、並びに説明図である。
【符号の説明】
１・・・・・絶縁ケース
２・・・・・一次コイル
３・・・・・二次コイル
４・・・・・変圧器
５・・・・・交流電源
６・・・・・放電電極
７・・・・・放電極
８・・・・・放電電極の出口
９・・・・・金網
１０・・・・・目的帯電体
１１・・・・・静電容量
１２・・・・・交流式電気力線
１３・・・・・送風機Ａ
１４・・・・・イオン化
１５・・・・・送風機Ｂ
１６・・・・・鉄ケース
１７・・・・・接地
【図１】
2005183350.tif 000003
【手続補正書】
【提出日】平成16年6月11日(2004.6.11)
【手続補正１】
【補正対象書類名】明細書
【補正対象項目名】全文
【補正方法】変更
【補正の内容】
【発明の詳細な説明】
【特許請求の範囲】
【請求項１】
接地電極不要で、放電極１個以上を各単独、又は直並列結線等を施した１組以上の放電電極に交流高電圧電源を荷電し、空気中又は真空中の静電気帯電体の逆帯電発生無く除電する交流電気力線放射式帯電除電器。
【請求項２】
交流高電圧電源の放電電極の出口又は出口側へ放電時に電磁波の発生防止に最適な網目の形状や大きさ等の金網を接地し、これを張り付けた請求項１記載の交流電気力線放射式帯電除電器。
【請求項３】
被帯電物体の材質、形状、移動速度、被除電物体と放電電極の出口との間隔等による除電効果向上のための交流高電圧電源の出力電圧、周波数等を選択する請求項１記載の交流電気力線放射式帯電除電器。
【請求項４】
空気中の交流電気力線放射式除電器に於いては、放電電極の後部又は前部或いは前後部に送風機を設置した請求項１記載の交流電気力線放射式帯電除電器。
【発明の詳細な説明】
【０００１】
【技術分野】  本発明は、交流電気力線放射式帯電除電器における、除電後逆帯電発生並びに放電中に電磁波発生によるＩＣ等の誤動作、電気的破損等の防止装置並びに該装置に用いる金網等及びその製造方法に関する。【０００２】
【背景技術】  従来の静電気帯電体より既に放射している、静電力線を、直流高電圧が放電電極を介し空気中に放射した直流電気力線で消滅し除電する除電器である。（例えば特願２００２−３０２３５８号公報参照）。【０００３】
【発明が解決しようとする課題】
上記（特願２００２−３０２３５８公報）の図２の符号５により、帯電体は（−）極帯電を示している。  使用した電気力線は図３の符号３により（＋）極電気力線である。  （−）極帯電体に（＋）極電気力線を放射すると、（−）極帯電体はどんどん零帯電に近づき、零帯電となるが、尚時間と共に（＋）極帯電に変化するので、これが逆帯電発生になる。  丁度零帯電時点で除電作業を中止すれば完全な除電になるが、この操作は不可能である等の問題点があった。
【０００４】  本発明は帯電体の除電中に逆帯電発生無く完全に除電する。  交流高電圧放電時に電磁波発生を防止し、除電中のＩＣ等に電磁波が誘導による誤動作や電気的絶縁破壊等の事故が発生せず。  放電電極の出口に手等が接触や接近しても電撃無く、導電性物体が接触しても放電による事故発生が無い除電器の製造方法を提供することを目的としている。
【０００５】
【課題を解決するための手段】
上記目的を達成するために、本発明の交流電気力線放射式帯電除電器においては常時（＋）（−）極性の質量が等量で時間と共に交互に変換した交流電気力線、又は空気中除電の時は同交流電気力線に接触や接近している空気を交流電気力線と同一に（＋）（−）極性が時間と共に交互に変換されたイオンを発生し、これが帯電体に作用して逆帯電発生無く除電効果良好である。  放電電極の出口又は出口側に網目の大きさ、形状等が電磁波を吸収しやすくした金網を接地し、これを取り付ける。  この接地した金網に手が触れても電撃無く、又導電性物体が接しても電気的事故が無いので安全である。
【０００６】  交流電気力線を空気中に放射したときの実験により交流電気力線は空気等による過渡現象等で阻害されて、除電効果が悪い。  改善のため交流電気力線の（＋）（−）極性の交互変換に接触や接近している空気を同等に誘導発生した（＋）（−）極性のイオン化にし、これを風圧で目的帯電体に吹き付ける方式にし成功したので、空気中に於いては放電電極に送風機を併用し上記イオンを吹き付けて除電する。
【０００７】  電磁波発生防止について
Ａ  放電電極の出口および出口側に接地した金網をつけたときによる利点について。
１．接地した金網の有無に対し除電効果の良否がほとんど判明しない。
２．接地した金網が放電時に発生する電磁波を吸収し除去するので、これに対する障災害の発生がなくなりＩＣ等の誤動作発生防止に役立った。
３．人体の１部が接地した金網に接したとき電撃が発生しない。
４．放電電極内部にものの進入を防止し、これによる事故等発生しない。
Ｂ  変圧器より電磁波発生防止のため、変圧器全体を鉄ケース内に入れた鉄ケースを接地する。
【０００８】
【発明実施の形態】
発明実施の形態を実施例にもとづき図面を参照して説明する。
図１において絶縁ケース１内に一次コイル２と二次コイル３のある変圧器４の一次コイル２に外部より交流電源５を入れ、二次コイル３に交流高電圧を発生さす。
【０００９】  交流高電圧発生する二次コイル３の１極を放電電極６の放電極７に荷電する。
他極は接地１７に接続する。  放電電極の出口８の位置の絶縁ケース１は開口である。  この外部に金網９を設置し、これを接地１７する。
【００１０】  金網９面より１ｍ前後先に目的帯電体１０を置く、この目的帯電体１０は空間の静電容量１１を介し接地１７されている。
【００１１】  交流電気力線１２は放電電極６の放電極７と金網９と空気中または真空中にある目的帯電体１０に到達し目的帯電体１０を除電する。
【００１２】  空気中の除電に於いて、送風機Ａ１３は交流電気力線１２の（＋）（−）極性の質量が等量で交互に変換すると同一の作用で空気を（＋）（−）極性のバランスしたイオン化１４したものを目的帯電体１０に吹き付け逆帯電発生なく帯電体の帯電を除去する。  交流電気力線放射式帯電除電器帯電。
【００１３】  空気中除電時に於いて交流電気力線放射の距離を６０ｃｍ位の時は放電電極の後部に送風機１３を設置する。  交流電気力線放射距離を１ｍ位の時は放電電極の後部の送風機１３を放電電極の前部に１５として移動する。  交流電気力線放射距離を最大にする時は放電電極の前後両部に設置する。
【００１４】  交流電源５の（＋）（−）極性の質量がほぼ等量で１秒間５０回または６０回交互に変換するＡＣ１００Ｖの市販電力会社より送電の交流電源５又は上記以外の周波数の時は同等に安定した交流発電装置を使用する等を、変圧器４を介し高電圧にして、そのまま放電電極６より放射した交流電気力線１２で、非常に安定している。
【００１５】  高電圧電源の変圧器４より電磁波の発生があり、これを防止するために変圧器全体を鉄ケース１６内に入れて、この鉄ケース１６を接地１７する。
【００１６】  真空中の除電作業に於いては交流電気力線放射を阻害する空気等が無いので前記
【００１２】と
【００１３】は不用である。
【００１７】
【発明の効果】
本発明は、以上説明したように構成で、以下に記載されるような効果を奏する。
【００１８】  真空中の除電に於いて。  交流電気力線の（＋）極電気力線と（−）極電気力線とが等量の質量が時間と共に交互変換しながら直接帯電体に放射される、交流電気力線が帯電体内で（＋）（−）電気力線がバランスするので逆帯電発生無く除電効果良好である。
【００１９】  空気中の除電に於いては、交流電気力線は空気等に過渡現象で阻害されて放射が最悪となるので、交流電気力線の（＋）（−）極性を空気に誘導し空気を（＋）（−）の等量の質量を交互に発生したイオンを風圧で目的帯電体に吹き付けて、帯電体内で（＋）（−）イオンをバランスして除電するので逆帯電発生無く除電効果良好である。
【００２０】  空気中に於いて放電電極と目的帯電体との間に他の帯電体が有っても交流電気力線の（＋）（−）質量が等量で時間と共に交互に変換していることは不変である。目的帯電体も他の帯電体も同時に除電されるので、目的帯電体の除電は殆ど影響されない。
【００２１】  放電電極の出口又は出口側に電磁波発生を吸収する網目の金網を接地し取り付けてあるので電磁波によるＩＣ等の誤動作や内部電気回路の絶縁破壊等の防止効果良好である。
【００２２】  放電電極の出口又は出口側に接地した金網が設置しているので、これに手が触れても電撃発生防止、導電性物体が接しても電気的事故発生防止等効果良好である。
【００２３】  使用する交流電源は市販電力会社よりの送電であり（＋）（−）極性の質量がほぼ等量で時間と共に交互に変換する、周波数も非常に安定した交流電源又は同等に安定した交流発電装置等を使用し、これを交流高電圧に変圧器を介し発生させた交流高電圧を放電電極より交流電気力線として放射し除電するので何日でも安定した逆帯電発生無い除電が出来る特徴の交流電気力線放射式帯電除電器を容易に製造することが出来る。
【図面の簡単な説明】
【図１】  交流電気力線放射帯電除電器の放電極の後部に送風機Ａのある構成、並びに説明図である。
【図２】  交流電気力線放射帯電除電器の放電極の前部に送風機Ｂのある構成、並びに説明図である。
【図３】  交流電気力線放射帯電除電器の放電極の前後両方に送風機ＡＢ両機のある構成、並びに説明図である。
【符号の説明】
１・・・・・絶縁ケース
２・・・・・一次コイル
３・・・・・二次コイル
４・・・・・変圧器
５・・・・・交流電源
６・・・・・放電電極
７・・・・・放電極
８・・・・・放電電極の出口
９・・・・・金網
１０・・・・・目的帯電体
１１・・・・・静電容量
１２・・・・・交流電気力線
１３・・・・・送風機Ａ
１４・・・・・イオン化
１５・・・・・送風機Ｂ
１６・・・・・鉄ケース
１７・・・・・接地
【手続補正書】
【提出日】平成16年6月11日(2004.6.11)
【手続補正１】
【補正対象書類名】図面
【補正対象項目名】全図
【補正方法】変更
【補正の内容】
【図１】
2005183350.tif 000004
【図２】
2005183350.tif 000005
【図３】
2005183350.tif 000006